【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
ビデオエンコーダにおける方法であって、
前記ビデオエンコーダで画像を再構成するために用いられる復号化されたイントラ予測モード残差について空間パターンを決定することによって前記画像内の少なくとも１つのブロックについて画像データを符号化することを備え、前記復号化されたイントラ予測モード残差は、前記ブロックの元のバージョンと、少なくとも１つの基準ブロックと、の間の変換及び量子化された差を逆量子化及び逆変換することによって得られ、前記空間パターンは、前記ブロックを符号化するために用いられる最確初期イントラ予測モードを決定するために用いられ、
前記最確モードは、複数のイントラ予測モードの間から決定され、
前記空間パターンは、前記空間パターンの空間領域分析を実行することによって前記最確モードを決定するために用いられ、
前記空間領域分析は、前記復号化されたイントラ予測モード残差における残差ピクセルの傾き、及び前記復号化されたイントラ予測モード残差と、予め定義された方向性ブロックマスクと、の間で計算される相関、のうちの少なくとも１つに基づく、
前記方法。
【請求項２】
前記空間パターンは、前記空間パターンの変換領域分析を実行することによって前記最確モードを決定するために用いられる、請求項１記載の方法。
【請求項３】
前記変換領域分析は、前記復号化されたイントラ予測モード残差について重要な変換された残差係数の大きさ及び位置の少なくとも１つに基づいており、前記空間パターンは、前記空間パターンの変換領域分析を実行することによって前記最確モードを決定するために用いられる、請求項１記載の方法。
【請求項４】
ビデオエンコーダにおける方法であって、
前記ビデオエンコーダで画像を再構成するために用いられる復号化されたイントラ予測モード残差について空間パターンを決定することによって前記画像内の少なくとも１つのブロックについて画像データを符号化することを備え、前記復号化されたイントラ予測モード残差は、前記ブロックの元のバージョンと、少なくとも１つの基準ブロックと、の間の変換及び量子化された差を逆量子化及び逆変換することによって得られ、前記空間パターンは、前記ブロックを符号化するために用いられる最確初期イントラ予測モードを決定するために用いられ、前記ブロックを符号化するために用いられる前記初期イントラ予測モードは、前記空間パターンに埋め込まれており、
前記最確モードは、複数のイントラ予測モードの間から決定され、
前記空間パターンは、前記空間パターンの空間領域分析を実行することによって前記最確モードを決定するために用いられ、
前記空間領域分析は、前記復号化されたイントラ予測モード残差における残差ピクセルの傾き、及び前記復号化されたイントラ予測モード残差と、予め定義された方向性ブロックマスクと、の間で計算される相関、のうちの少なくとも１つに基づく、
前記方法。
【請求項５】
前記変換及び量子化された差は、前記ブロックの前記元のバージョンと、前記少なくとも１つの基準ブロックと、の間の差を変換及び量子化することによって得られ、前記初期イントラ予測モードは、前記ブロックの前記元のバージョンと、前記少なくとも１つの基準ブロックと、の間の前記差の変換及び量子化されたバージョンの量子化インデックスを修正することによって前記空間パターンに埋め込まれ、前記空間パターンにおける前記ブロックを符号化するために用いられる前記初期イントラ予測モードを埋め込む埋め込み動作は、変換領域において実施される、請求項４記載の方法。
【請求項６】
前記変換及び量子化された差は、前記ブロックの前記元のバージョンと、前記少なくとも１つの基準ブロックと、の間の差を変換及び量子化することによって得られ、前記ブロックを符号化するために用いられる前記初期イントラ予測モードは、前記ブロックの前記元のバージョンと、前記少なくとも１つの基準ブロックと、の間の前記差の変換され及び量子化されていないバージョンの大きさを修正することによって前記空間パターンに埋め込まれる、請求項４記載の方法。
【請求項７】
前記空間パターンに前記ブロックを符号化するために用いられる前記初期イントラ予測モードを埋め込む埋め込み動作は、変動マトリックスを前記イントラ予測モード残差に追加することによって空間領域で行われ、前記変動マトリックスは、前記変動マトリックス及びイントラ予測モード残差の合計の前記復号化されたバージョンから前記最小ノルム及びモードを導出させることができるように選択される、請求項４記載の方法。
【請求項８】
前記変換及び量子化された差は、前記ブロックの前記元のバージョンと、前記少なくとも１つの基準ブロックと、の間の差を変換及び量子化することによって得られ、前記ブロックを符号化するために用いられる前記初期イントラ予測モードは、前記変換及び前記量子化の前に前記ブロックの前記元のバージョンと、前記少なくとも１つの基準ブロックと、の間の前記差の大きさを修正することによって前記空間パターンに埋め込まれる、請求項７記載の方法。
【請求項９】
ビデオデコーダであって、前記ビデオデコーダで画像を再構成するために用いられる復号化されたイントラ予測モード残差について空間パターンを決定することによって、前記画像内の少なくとも１つのブロックについて画像データを復号化する、前記ビデオデコーダと、
前記ブロックの元のバージョンと、少なくとも１つの基準ブロックと、の間の変換及び量子化された差を逆量子化及び逆変換することによって前記復号化されたイントラ予測モード残差を得るための逆量子化器及び逆変換器と、
前記ブロックを復号化するためのイントラ予測モードを決定するために前記空間パターンを用いる決定回路であって、前記空間パターンは、最確モードを決定するために用いられ、前記最確モードは、前記ブロックを復号化する前記イントラ予測モードを復号化するために用いられ、前記最確モードは、複数のイントラ予測モードの間から決定される、前記決定回路と、
を備え、
空間領域分析は、前記復号化されたイントラ予測モード残差における残差ピクセルの傾き、及び前記復号化されたイントラ予測モード残差と、予め定義された指向性ブロックマスクと、の間で計算される相関、のうちの少なくとも１つに基づく、装置。
【請求項１０】
前記空間領域分析は、前記復号化されたイントラ予測モード残差における残差ピクセルの傾き、及び前記復号化されたイントラ予測モード残差と、予め定義された指向性ブロックマスクと、の間で計算される相関、のうちの少なくとも１つに基づいており、前記空間パターンは、前記空間パターンの空間領域分析を実行することによって前記最確モードを決定するために用いられる、請求項９記載の装置。
【請求項１１】
ビデオデコーダにおける方法であって、
前記ビデオデコーダで画像を再構成するために用いられる復号化されたイントラ予測モード残差について空間パターンを決定することによって、前記画像内の少なくとも１つのブロックについて画像データを復号化することを備え、前記復号化されたイントラ予測モード残差は、前記ブロックの元のバージョンと、少なくとも１つの基準ブロックと、の間の変換及び量子化された差を逆量子化及び逆変換することによって得られ、前記空間パターンは、前記ブロックを復号化するためのイントラ予測モードを決定するために用いられ、前記空間パターンは、最確モードを決定するために用いられ、前記最確モードは、前記ブロックを復号化するための前記イントラ予測モードを復号化するために用いられ、前記最確モードは、複数のイントラ予測モードの間から決定され、
空間領域分析は、前記復号化されたイントラ予測モード残差における残差ピクセルの傾き、及び前記復号化されたイントラ予測モード残差と、予め定義された指向性ブロックマスクと、の間で計算される相関、のうちの少なくとも１つに基づく、前記方法。
【請求項１２】
前記空間領域分析は、前記復号化されたイントラ予測モード残差における残差ピクセルの傾き、及び前記復号化されたイントラ予測モード残差と、予め定義された指向性ブロックマスクと、の間で計算される相関、のうちの少なくとも１つに基づき、前記空間パターンは、前記空間パターンの空間領域分析を実行することによって前記最確モードを決定するために用いられる、請求項１１記載の方法。
【請求項１３】
前記空間パターンは、前記空間パターンの変換領域分析を行うことによって前記最確モードを決定するために用いられる、請求項１１記載の方法。
【請求項１４】
前記変換領域分析は、前記復号化されたイントラ予測モード残差について重要な変換された残差係数の大きさ及び位置の少なくとも１つに基づく、請求項１１記載の方法。
【請求項１５】
イントラモードサブセットは、前記空間パターンを分析することによって導き出され、前記イントラモードサブセットは、全ての利用可能なイントラ予測モードより少なく、前記デフォルトセットは、前記利用可能なイントラ予測モードの全てを含み、モードセットは、前記ブロックに関する前記画像データを含むビットストリームにおいて明示的に受信され、前記モードセットは、前記ブロックを復号化するための前記イントラ予測モードを復号化するために用いられる、請求項１１記載の方法。